(57)【要約】【課題】  本発明は本来の手拭きとしての機能を損なうことなく、清涼飲料水等の缶容器のプルトップを容易に開封することができる機能を有する手拭きを得るにある。【解決手段】  手拭き本体と、この手拭き本体の外周部寄りの部位に縫着固定された、該手拭き本体との間に缶容器のプルトップを挿入して開封することができるテープ状あるいは三角形状のシート状のプルトップ係止片とで手拭きを構成している。【選択図】  図１
2009215681.tif 000002
【特許請求の範囲】
【請求項１】
手拭き本体と、この手拭き本体の外周部寄りの部位に縫着固定された、該手拭き本体との間に缶容器のプルトップを挿入して開封することができるテープ状あるいは三角形状のシート状のプルトップ係止片とからなることを特徴とする手拭き。
【請求項２】
プルトップ係止片はタグを兼用していることを特徴とする請求項１記載の手拭き。
【請求項３】
手拭き本体は方形状に形成され、プルトップ係止片は三角形状に形成され、手拭き本体の少なくとも１個所の角部に角部がほぼ一致するように縫着固定されていることを特徴とする手拭き。
【発明の詳細な説明】
【技術分野】
【０００１】
本発明はタオル、ハンドタオル、ハンカチ等の手拭きに関する。
【背景技術】
【０００２】
従来のタオル、ハンドタオル、ハンカチ等の手拭きは、手拭きとしての機能しかなかった。
【０００３】
このため、ほとんど持ち歩いているが、十分に利用されていないという欠点があった。
【特許文献１】特になし
【発明の開示】
【発明が解決しようとする課題】
【０００４】
本発明は以上のような従来の欠点に鑑み、本来の手拭きとしての機能を損なうことなく、清涼飲料水等の缶容器のプルトップを容易に開封することができる機能を有する手拭きを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は手拭き本体と、この手拭き本体の外周部寄りの部位に縫着固定された、該手拭き本体との間に缶容器のプルトップを挿入して開封することができるテープ状あるいは三角形状のシート状のプルトップ係止片とで手拭きを構成している。
【発明の効果】
【０００７】
以上の説明から明らかなように、本発明にあっては次に列挙する効果が得られる。
【０００８】
（１）手拭き本体の外周部寄りの部位にテープ状あるいは三角形状のシート状のプルトップ係止片を縫着固定しているので、缶容器のプルトップをプルトップ係止片と手拭き本体との間に挿入し、引っ張ることによりプルトップを開封することができる。
したがって、手拭きとしての機能とプルトップの開封機能の２つの機能があるので、多目的に使用することができる。
【０００９】
（２）前記（１）によって、手拭き本体の外周部寄りの部位にプルトップ係止片が縫着固定されているので、プルトップ係止片が手拭き本体の手拭きの使用時にじゃまになったりするのを確実に防止することができる。
【００１０】
（３）前記（１）によって、プルトップ係止片を手拭き本体に縫着固定するだけでよいので、製造が容易で、安価に製造することができる。
【００１１】
（４）請求項２は前記（１）〜（３）と同様な効果が得られるとともに、タグとしての機能も有して、低コストで製造することができる。
【００１２】
（５）請求項３も前記（１）〜（３）と同様な効果が得られる。
【発明を実施するための最良の形態】
【００１３】
以下、図面に示す本発明を実施するための最良の形態により、本発明を詳細に説明する。
【００１４】
図１ないし図５に示す本発明を実施するための最良の第１の形態において、１はハンドタオルとして使用される本発明の手拭きで、この手拭き１はパイル織りの織物で正方形状に形成され、周囲をほつれ防止に縫着された手拭き本体２と、この手拭き本体２の少なくとも１個所の角部に角部がほぼ一致するように縫着固定された三角形状のシート状のプルトップ係止片３とで構成されている。
【００１５】
前記プルトップ係止片３は手拭き本体２の角部に角部がほぼ一致するように外周部が縫着される外周部縫着部４と、中央部に缶容器５のプルトップ６を挿入させた時にプルトップ係止片３が手拭き本体２より大きく離れるのを阻止できるように、プルトップ６の外周部寄りに位置する部位を縫着固定したプルトップ係止片補強縫着部７、７とで構成されている。
【００１６】
上記構成のハンドタオルとして使用される手拭き１は、通常のハンドタオルと同様に持ち歩き、汗拭きや手洗い時に手を拭く時に使用できる。
また、清涼飲料水等の缶容器５のプルトップ６を開封する場合、プルトップ６の下に手拭き１のプルトップ係止片３を、図４に示すように挿入して、プルトップ係止片３の外周部の手拭き本体２を持って、図５に示すように引上げることにより、力の弱い女性や、親指の爪が伸びていない人でも、容易にプルトップ６を開封することができる。
[発明を実施するための異なる形態]
【００１７】
次に、図６ないし図１３に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図６および図７に示す本発明を実施するための第２の形態において、前記本発明を実施するための最良の第１の形態と主に異なる点は、タグとして使用できるように文字や記号をプリントしたプルトップ係止片３Ａを用いた点で、このように構成したハンドタオルとして使用できる手拭き１Ａにしても、前記本発明を実施するための最良の第１の形態と同様な作用効果が得られるとともに、別にタグを設けるものに比べ、コストの低減を図ることができる。
【００１９】
図８ないし図１０に示す本発明を実施するための第３の形態において、前記本発明を実施するための最良の第１の形態と主に異なる点は、ハンカチとして使用できる手拭き本体２Ａにプルトップ係止片３を縫着固定した点で、このように構成したハンカチとして使用できる手拭き１Ｂにしても、前記本発明を実施するための最良の第１の形態と同様な作用効果が得られる。
【００２０】
図１１ないし図１３に示す本発明を実施するための第４の形態において、前記本発明を実施するための第２の形態と主に異なる点は、帯状のプルトップ係止片３Ｂを手拭き本体２の一辺の外周辺のほぼ中央部に縫着固定した点で、このように構成したハンドタオルとして使用できる手拭き１Ｃにしても、前記本発明を実施するための第２の形態と同様な作用効果が得られる。
【００２１】
なお、前記本発明を実施するための各形態では、ハンドタオルやハンカチを手拭き本体としたものについて説明したが、本発明はこれに限らず、タオルに用いてもよい。
また、方形状の手拭き本体について説明したが、本発明は方形状以外の多角形状や円形状、楕円形状等に形成されたものであってもよい。
【産業上の利用可能性】
【００２２】
本発明はハンドタオルやハンカチ等の手拭きを製造する産業で利用される。
【図面の簡単な説明】
【００２３】
【図１】本発明を実施するための最良の第１の形態の平面図。
【図２】本発明を実施するための最良の第１の形態の背面図。
【図３】図１の３−３線に沿う断面図。
【図４】プルトップ係止片をプルトップに係止させた状態の説明図。
【図５】プルトップを開封するときの説明図。
【図６】本発明を実施するための第２の形態の平面図。
【図７】図６の７−７線に沿う断面図。
【図８】本発明を実施するための第３の形態の平面図。
【図９】本発明を実施するための第３の形態の背面図。
【図１０】図８の１０−１０線に沿う断面図。
【図１１】本発明を実施するための第４の形態の平面図。
【図１２】本発明を実施するための第４の形態の背面図。
【図１３】図１１の１３−１３線に沿う断面図。
【符号の説明】
【００２４】
１、１Ａ、１Ｂ、１Ｃ：手拭き、
２、２Ａ：手拭き本体、
３、３Ａ、３Ｂ：プルトップ係止片、    
４：外周部縫着部、                          ５：缶容器、        
６：プルトップ、                            
７：プルトップ係止片補強縫着部。
【図１】
2009215681.tif 000003
【図２】
2009215681.tif 000004
【図３】
2009215681.tif 000005
【図４】
2009215681.tif 000006
【図５】
2009215681.tif 000007
【図６】
2009215681.tif 000008
【図７】
2009215681.tif 000009
【図８】
2009215681.tif 000010
【図９】
2009215681.tif 000011
【図１０】
2009215681.tif 000012
【図１１】
2009215681.tif 000013
【図１２】
2009215681.tif 000014
【図１３】
2009215681.tif 000015